(57)【要約】【課題】機械の非操作時には、オペレータの手を煩わすことなく自動的にパイロット一次圧を低下させ、エンジンへの負荷を減少して燃料消費量を低減する。【解決手段】パイロット油圧源１１からリモコン弁１３に至るパイロット一次側油路１２にタンク１７へ連通する分岐油路２０を設ける。この分岐油路２０の途中に電磁弁２１を介装するとともに、該電磁弁２１の下流にリリーフ弁２３を介装する。操作検出手段１９により機械が非操作状態であることを検出したときは、コントローラ３０の制御により前記電磁弁２１を切り換えて分岐油路２０を開放し、パイロット一次圧を低下させる。【選択図】  図１
2004263750.tif 000002
【特許請求の範囲】
【請求項１】
油圧ポンプからアクチュエータに供給される圧油の流れを制御する方向制御弁と、パイロット油圧源からのパイロット一次圧を導入してパイロット二次圧を導出し、該パイロット二次圧により前記方向制御弁のストローク量を制御するリモコン弁とを備えた建設機械に於いて、前記パイロット油圧源からリモコン弁に至るパイロット一次側油路にタンクへ連通する分岐油路を設け、該分岐油路の途中に電磁弁を介装するとともに、該電磁弁の下流にリリーフ弁を介装し、前記電磁弁により分岐油路の開閉を行い、リリーフ弁により分岐油路の圧力を調整するように構成したことを特徴とする建設機械のリモコン弁油圧回路。
【請求項２】
機械の操作を検出する手段を設け、機械の非操作時は上記電磁弁を開放位置にして、パイロット油圧源からのパイロット一次圧を通過させ、機械の操作時は上記電磁弁を閉止位置にして、前記パイロット油圧源からのパイロット一次圧を遮断して所定圧力まで上昇させるような制御手段を備えた請求項１記載の建設機械のリモコン弁油圧回路。
【発明の詳細な説明】
【０００１】
【発明の属する技術分野】
本発明は建設機械のリモコン弁油圧回路に関するものであり、特に、油圧ショベル等の建設機械に装備されたアクチュエータを制御するリモコン弁油圧回路に関するものである。
【０００２】
【従来の技術】
従来、油圧ポンプからアクチュエータに供給される圧油の流れを制御する方向制御弁と、パイロット油圧源からのパイロット一次圧を導入してパイロット二次圧を導出し、該パイロット二次圧により前記方向制御弁のストローク量を制御するリモコン弁とを備えた建設機械は一般的に広く知られている。しかし、リモコン弁を操作しない機械の非操作時に於いても、パイロット油圧源から常に所定圧力の圧油を導入しているので、駆動源であるエンジンに連続して負荷がかかり、燃料消費量が増大するという不具合があった。また、パイロット油圧源からのパイロット一次圧が一定圧力であるため、負荷の大なる作業時に操作レバーを大きく傾倒させた状態では、アクチュエータの動作速度が速すぎて微操作が困難であった。
【０００３】
これらの不具合を解消するために、前記パイロット一次圧を高い圧力と低い圧力に選択設定する切換手段である高圧設定リリーフ弁と低圧設定リリーフ弁と電磁切換弁とを設け、アクチュエータを作動させる速度に応じて前記電磁切換弁を切り換えて、パイロット一次圧を変更設定できるようにしたリモコン弁油圧回路が知られている（例えば、特許文献１参照）。
【０００４】
【特許文献１】
特開平９−２８７１７５号公報（第２〜６頁、図１）。
【０００５】
【発明が解決しようとする課題】
上記特許文献１記載のリモコン弁油圧回路は、アクチュエータを作動させる速度に応じてオペレータが手動でスイッチをオン・オフし、電磁切換弁を切り換えて高圧設定リリーフ弁と低圧設定リリーフ弁とを選択するため、パイロット圧の変更が煩雑であった。
【０００６】
そこで、機械の非操作時には、オペレータの手を煩わすことなく自動的にパイロット一次圧を低下させ、エンジンへの負荷を減少して燃料消費量を低減するために解決すべき技術的課題が生じてくるのであり、本発明はこの課題を解決することを目的とする。
【０００７】
【課題を解決するための手段】
本発明は上記目的を達成するために提案されたものであり、油圧ポンプからアクチュエータに供給される圧油の流れを制御する方向制御弁と、パイロット油圧源からのパイロット一次圧を導入してパイロット二次圧を導出し、該パイロット二次圧により前記方向制御弁のストローク量を制御するリモコン弁とを備えた建設機械に於いて、前記パイロット油圧源からリモコン弁に至るパイロット一次側油路にタンクへ連通する分岐油路を設け、該分岐油路の途中に電磁弁を介装するとともに、該電磁弁の下流にリリーフ弁を介装し、前記電磁弁により分岐油路の開閉を行い、リリーフ弁により分岐油路の圧力を調整するように構成した建設機械のリモコン弁油圧回路、
及び、機械の操作を検出する手段を設け、機械の非操作時は上記電磁弁を開放位置にして、パイロット油圧源からのパイロット一次圧を通過させ、機械の操作時は上記電磁弁を閉止位置にして、前記パイロット油圧源からのパイロット一次圧を遮断して所定圧力まで上昇させるような制御手段を備えた建設機械のリモコン弁油圧回路を提供するものである。
【０００８】
【発明の実施の形態】
以下、本発明の一実施の形態を図面に従って詳述する。図１は建設機械の一例として油圧ショベルのリモコン弁油圧回路を示し、パイロット油圧源１１から吐出された圧油はパイロット一次側油路１２を経てリモコン弁１３に供給される。パイロット一次側油路１２にはリリーフ弁１４が接続されており、パイロット油圧源１１から吐出された圧油は、該リリーフ弁１４にて設定された所定圧力（例えば４０Ｋ）まで上昇してパイロット一次圧となる。
【０００９】
アクチュエータへの圧油の流れを制御する方向制御弁（図示せず）は、方向制御弁群１５の中に複数個配置されており、前記パイロット油圧源１１から吐出されたパイロット一次圧の一部が、油路１６を経て接続点Ｐから方向制御弁群１５へ導出され、方向制御弁群１５の中にある全ての方向制御弁が中立位置にあるときは、前記パイロット一次圧が各方向制御弁のスプールの一部分を通過してタンク１７に戻る。尚、方向制御弁群１５の中には前記接続点Ｐ付近に圧力スイッチ等の圧力センサ（図示せず）を設けてあり、後述の操作検出手段としている。
【００１０】
前記パイロット油圧源１１からパイロット一次側油路１２を経てリモコン弁１３にパイロット一次圧が導入されるが、前記リモコン弁１３の操作レバー１８を操作しないときは、リモコン弁１３のパイロット二次側油路（図示せず）にパイロット二次圧は発生しない。従って、方向制御弁群１５の中にある全ての方向制御弁は中立位置となり、前記パイロット一次圧が各方向制御弁のスプールの一部分を通過してタンク１７に戻るため、前述した圧力センサはオフの状態である。
【００１１】
これに対して、操作レバー１８を傾倒操作したときは、リモコン弁１３のパイロット二次側油路を経て、前記方向制御弁群１５の中の該当する方向制御弁のパイロットポートへパイロット二次圧が導出される。従って、パイロット二次圧が導出された方向制御弁のスプールが動いて、前記パイロット一次圧が遮断されるため、前記接続点Ｐ付近の圧力が上昇して前述した圧力センサがオンの状態に切り換わる。
【００１２】
即ち、前記操作レバー１８によって機械の操作が行われていないときは前記圧力センサがオフであり、機械の操作が行われたときは圧力センサがオンとなる。従って、前記圧力センサが機械の操作を検出する操作検出手段１９となる。コントローラ３０は操作検出手段１９からの操作検出信号を受け、機械が非操作状態であるか或いは機械が操作状態であるかを判別する。
【００１３】
ここで、前記パイロット油圧源１１からリモコン弁１３に至るパイロット一次側油路１２の途中に、タンク１７へ連通する分岐油路２０を設け、この分岐油路２０の途中に電磁弁２１を介装する。該電磁弁２１はノーマル状態では「閉止位置」（イ）となっており、コントローラ３０からの信号によりソレノイド２２が励磁されると「開放位置」（ロ）に切り換わる。
【００１４】
更に、該電磁弁２１の下流にリリーフ弁２３を介装する。該リリーフ弁２３の設定圧力は、前述したパイロット一次側油路１２のリリーフ弁１４の設定圧力よりも低い圧力とする（例えば２０Ｋ）。従って、前記電磁弁２１が切り換わって分岐油路２０の開閉を行い、リリーフ弁２３により分岐油路２０の圧力即ちパイロット一次側油路１２のパイロット一次圧を所定圧力に調整するように構成してある。
【００１５】
次に、リモコン弁油圧回路の作用について説明する。パイロット油圧源１１から吐出された圧油は、前記リリーフ弁１４にて設定された所定圧力（例えば４０Ｋ）にてパイロット一次圧が供給される。前記操作レバー１８を傾倒操作しない状態では、前記操作検出手段１９により、コントローラ３０は機械の非操作時であること判別する。
【００１６】
機械の非操作時は、コントローラ３０から信号を出力して前記電磁弁２１のソレノイド２２を励磁し、図２に示すように、前記電磁弁２１を「開放位置」（ロ）に切り換える。従って、分岐油路２０が開放されるため、パイロット油圧源１１から吐出された圧油の一部がパイロット一次側油路１２から分岐油路２０に分岐し、電磁弁２１の「開放位置」（ロ）を通過して、分岐油路２０の圧力即ちパイロット一次側油路１２のパイロット一次圧は、前記リリーフ弁１４の設定圧力（例えば４０Ｋ）からリリーフ弁２３にて設定された所定圧力（例えば２０Ｋ）に下降する。
【００１７】
このように、リモコン弁１３を操作しない機械の非操作時に於いては、パイロット油圧源１１からのパイロット一次圧が予め設定した比較的低い圧力に下降するため、駆動源であるエンジンにかかる負荷が低下し、燃料消費量を減少することができる。
【００１８】
そして、オペレータが操作レバー１８を操作して機械を操作したときは、前記方向制御弁群１５の中の該当する方向制御弁が切り換わり、前記操作検出手段１９からの操作検出信号を受けて、コントローラ３０は機械の操作時であることを判別する。然るときは、コントローラ３０からの信号を停止して前記電磁弁２１のソレノイド２２の励磁をやめ、図１に示したように、電磁弁２１を「閉止位置」（イ）に戻す。
【００１９】
従って、分岐油路２０が閉止されるため、パイロット油圧源１１から吐出された圧油は、リリーフ弁１４にて設定された所定圧力に上昇する。即ち、パイロット一次圧がアイドリング状態から作業可能状態に復帰する。
【００２０】
尚、本発明は、本発明の精神を逸脱しない限り種々の改変を為すことができ、そして、本発明が該改変されたものに及ぶことは当然である。
【００２１】
【発明の効果】
本発明は上記一実施の形態に詳述したように、請求項１記載の発明は、パイロット油圧源からリモコン弁に至るパイロット一次側油路にタンクへ連通する分岐油路を設け、電磁弁により分岐油路の開閉を行い、リリーフ弁により分岐油路の圧力即ちパイロット一次側油路のパイロット一次圧を所定圧力に調整するように構成したので、前記電磁弁を開放すればパイロット一次圧を低下させることができ、駆動源であるエンジンの負荷を低下させて、燃料消費量を減少できる。
【００２２】
請求項２記載の発明は、機械の操作を検出する手段を設け、機械の非操作時は制御手段の制御によって上記電磁弁を開放位置に切り換えるため、パイロット油圧源からのパイロット一次圧を自動的に低下させることができる。従って、請求項１記載の発明の効果に加えて、機械の非操作時は自動的にパイロット一次圧を低下させ、オペレータが特別な操作を施すことなく、燃料低減効果が期待できる。
【図面の簡単な説明】
【図１】本発明の一実施の形態を示し、初期状態のリモコン弁油圧回路図。
【図２】本発明の一実施の形態を示し、機械の非操作時のリモコン弁油圧回路図。
【符号の説明】
１１        パイロット油圧源
１２        パイロット一次側油路
１３        リモコン弁
１４        リリーフ弁
１５        方向制御弁群
１６        油路
１７        タンク
１８        操作レバー
１９        操作検出手段
２０        分岐油路
２１        電磁弁
２２        ソレノイド
２３        リリーフ弁
３０        コントローラ
【図１】
2004263750.tif 000003
【図２】
2004263750.tif 000004